(57)【要約】【課題】軽量かつコンパクトにして、設置及び撤収はもちろん、場所を選ばず迅速かつ安全に作業を行うことができ安価な屋根作業用足場を提供する。【解決手段】幅の異なる複数の中板部材と、この中板部材に前後から装着して一体化する一対の幅調整部材からなる第１足場部材と、平板状の第２足場部材と、雪止め回避用のブリッジ型の第３足場部材とより構成し、第１足場部材には梯子の左右支柱部に係合する梯子接合用凹部を形成すると共に、各足場部材の前後端面に互いに嵌合する接合用凹凸を形成して、これらを組み合わせて屋根作業用足場を構成する。【選択図】図１
2011111843.tif 000002
【特許請求の範囲】
【請求項１】
前後幅の異なる複数の合成樹脂製又は木製の中板部材と、この中板部材を前後より着脱自在に収納する収納空間を有した一対の幅調整部材から成り、一方の幅調整部材の端面には屋根に掛けられた梯子の左右支柱部に係合する梯子接合用凹部を形成すると共に、他方の幅調整部材の端面には接合用凸部又は接合用凹部を形成し、また上記一対の幅調整部材の上面には滑り止め用凹凸部を形成した平板状且つ合成樹脂製又は木製の第１足場部材と、
前後端の一方端面に接合用凹部を、他方端面に接合用凸部をそれぞれ形成すると共に、その上面には滑り止め用凹凸部を形成した平板状且つ合成樹脂製又は木製の第２足場部材と、
前後一対の桟部両端をコ形状の接続部で接続して同前後桟部間に所要の隙間を形成すると共に、前後桟部の一方端面に接合用凹部を、他方端面左右に接合用凸部をそれぞれ形成し、また前後桟部の上面に滑り止め用凹凸部を形成したブリッジ型の合成樹脂製又は木製の第３足場部材と、
から構成してなり、上記幅調整部材の収納空間に中板の前後を係合して一体化した第１足場部材の梯子接合用凹部を梯子の支柱部に係合して設置した後、各足場部材の接合用凹部と接合用凸部を互いに嵌め合わせて該第２足場部材と第３足場部材を複数個適宜連接することにより屋根上に足場を構成するようにした事を特徴とする屋根作業用足場。
【発明の詳細な説明】
【技術分野】
【０００１】
本発明は、屋根上で軽作業をする際に使用する屋根作業用足場に関するものである。
【０００２】
一般に、屋根上で作業する場合、例えば屋根の瓦葺き作業時には、家屋の垂直壁面に沿って足場を立設すると共に、屋根面に浮き足場を架設し、この立設した足場や屋根上に架設した浮き足場を利用して作業を行っている。
【０００３】
しかし、現場で組まれる一般的な浮き足場は、丸太や鉄パイプを縦横に架設した構造であるため、この浮き足場に作業者が足場を求めても支えが不安定で、動きが制約され作業性が悪いものであった。このため、屋根上での作業性を改善するための屋根作業用足場がいろいろと提案されている。
【０００４】
例えば、実開平１−１７７３２３号公報（特許文献１）にて、上記浮足場に掛止される荷受け部が起立形成された側面視略Ｌ字形状の器具本体と、この器具本体の荷台部他端に着脱可能に継ぎ足される補助荷台とからなる屋根作業用足場が提案されている。
【０００５】
また、特開平８−３０２９４３号公報（特許文献２）にて、家屋の垂直壁面に沿って立設した足場に固定されたはしご体Ａと、このはしご体Ａに角度可変可能に連結されたはしご体Ｂとからなる屋根作業用足場が提案されている。
【０００６】
また、実開昭５６−７０７号公報（特許文献３）にて、屋根頂部の棟部に引っ掛けて屋根上に敷いた発泡シート製の長尺状マットの屋根作業用足場が提案されている。
【先行技術文献】
【特許文献】
【０００７】
【特許文献１】実開平１−１７７３２３号公報
【特許文献２】特開平８−３０２９４３号公報
【特許文献３】実開昭５６−７０７号公報
【発明の概要】
【発明が解決しようとする課題】
【０００８】
上記特許文献１及び２に示す屋根作業用足場は、屋根上に架設した浮き足場や、家屋の垂直壁面に沿って立設した足場を利用して使用するため、屋根の瓦葺き作業などのように大規模且つ長時間にわたって作業を行う場合には適しているが、例えば室外アンテナ、エアコン室外機、太陽熱発電パネル、太陽熱温水器の設置工事及び電気工事など、屋根上で３０分〜数時間程度の軽作業を行う場合には、上記浮き足場や立設足場は設置するために費用と時間がかかり、又家屋の垂直壁面に沿って立設する関係上十分なスペースを必要とし設置可能場所が限定されるなど適さず、使用することはできない。
【０００９】
また、一般に屋根上面には、和瓦・洋瓦に拘わらず雪ずり防止手段が設けられている。この雪ずり防止手段は、例えば屋根上面に設置した左右方向に延びる棒材又はＬアングル部材、若しくは幅狭のＬアングル部材や瓦自体に形成した凸部を一列又は互い違いに配置して構成されたものであるが、上記特許文献１及び２に示す屋根作業用足場では、この雪ずり防止手段が邪魔となって屋根上に設置することができない問題もある。
【００１０】
この点特許文献３の屋根作業用マットは、浮き足場や立設足場の有無、及び屋根上の雪ずり防止手段の有無に関係なく設置することができ好ましいが、屋根頂部の棟部に引っ掛けて設置するため、屋根の勾配により安易に登ることができない場合は屋根棟部に引っ掛けることができない。仮に苦労して引っ掛けたとしても作業後に外すのも大変で使用に耐えないものである。また、例えば家屋の壁面より屋根がせり出している場合引っ掛ける場所もなく使用できないものであった。
【００１１】
特に、上記室外アンテナ、エアコン室外機、太陽熱発電パネル、太陽熱温水器の設置工事及び電気工事など、屋根上で３０分〜数時間程度の軽作業時には、一度屋根に登ると雨が降ろうが処置が終わらなければ降りることもできず、滑りやすい屋根の上で作業することになる。また、真夏の猛暑の中では、屋根面が靴底が溶け出す位の熱さになるため、軽作業にも簡単且つ安心して使用できその取扱いも簡単な屋根作業用足場が望まれていた。
本発明は、上記従来の問題点に鑑みなされたもので、軽量かつコンパクトにして、設置及び撤収はもちろん、場所を選ばず迅速かつ安全に作業を行うことができ屋根作業用足場を提供することを目的とする。
【課題を解決するための手段】
【００１２】
本発明の屋根作業用足場は、
前後幅の異なる複数の合成樹脂製又は木製の中板部材と、この中板部材を前後より着脱自在に収納する収納空間を有した一対の幅調整部材から成り、一方の幅調整部材の端面には屋根に掛けられた梯子の左右支柱部に係合する梯子接合用凹部を形成すると共に、他方の幅調整部材の端面には接合用凸部又は接合用凹部を形成し、また上記一対の幅調整部材の上面には滑り止め用凹凸部を形成した平板状且つ合成樹脂製又は木製の第１足場部材と、
前後端の一方端面に接合用凹部を、他方端面に接合用凸部をそれぞれ形成すると共に、その上面には滑り止め用凹凸部を形成した平板状且つ合成樹脂製又は木製の第２足場部材と、
前後一対の桟部両端をコ形状の接続部で接続して同前後桟部間に所要の隙間を形成すると共に、前後桟部の一方端面に接合用凹部を、他方端面左右に接合用凸部をそれぞれ形成し、また前後桟部の上面に滑り止め用凹凸部を形成したブリッジ型の合成樹脂製又は木製の第３足場部材と、
から構成してなり、上記幅調整部材の収納空間に中板の前後を係合して一体化した第１足場部材の梯子接合用凹部を梯子の支柱部に係合して設置した後、各足場部材の接合用凹部と接合用凸部を互いに嵌め合わせて該第２足場部材と第３足場部材を複数個適宜連接することにより屋根上に足場を構成するようにした事を特徴とする。
【発明の効果】
【００１３】
本発明の屋根作業用足場は、屋根に掛けたはしごを用いて使用すると共に、軽量な合成樹脂製又は木製の軽量且つコンパクトな各足場部材を組み合わせて構成するようにしてなるので、屋根上という高所かつ不安定な場所にも拘わらず、その取扱も簡単で場所を選ばず迅速かつ安全に設置及び撤収作業を行うことができる。
また、各足場部材の上面には滑り止め用凹凸部が施され、靴底にしっかり食い込み滑らないようしているので、雨や、雪などが降って、屋根作業用足場の上面に水分が付着した場合にも、靴底にしっかり食い込み滑らないように形成され、安全に作業を行うことができる。
【００１４】
また、各足場部材は軽量な合成樹脂製又は木製でコンパクト形状に形成されているので、屋根作業用足場上面が高温となることもなく安心して作業ができると共に、小さなスペースに収納でき軽自動車など小さな車での持ち運びにも適し、使い勝手の良い且つ安価な屋根作業用足場である。
【図面の簡単な説明】
【００１５】
【図１】本実施例の一実施例の屋根作業用足場の使用状態を示す斜視図である。
【図２】本実施例の一実施例の屋根作業用足場の第１足場部材を示す斜視図である。
【図３】本実施例の一実施例の屋根作業用足場の第２足場部材を示す斜視図である。
【図４】本実施例の一実施例の屋根作業用足場の第３足場部材を示す斜視図である。
【図５】図２の第１足場部材の組立状態を示す斜視図である。
【図６】図２の第１足場部材の第２の組立状態を示す斜視図である。
【発明を実施するための形態】
【００１６】
以下本発明の一実施例の屋根作業用足場を、図１〜図４を用いて詳細に説明する。
図中、屋根作業用足場本体１は、第１足場部材１０、第２足場部材２０、第３足場部材３０とから大略構成している。
上記第１足場部材１０は、図２に示すように前後幅の異なる複数の合成樹脂製又は木製の平板状の中板部材１６ａ、１６ｂと、この中板部材１６ａ、１６ｂの前後端部を収納する収納空間１２を有する一端を開口した合成樹脂製又は木製の平板状の一対の幅調整部材１１，１１から成り、一方の幅調整部材１１の端部には屋根に掛けた梯子の左右支柱部に係合する梯子接合用凹部１３を形成し、他方の幅調整部材１１の端面には接合用凸部１４を形成している。また上記一対の幅調整部材１１，１１の上面には滑り止め用凹凸部１５を形成している。
上記第２足場部材２０は、図３に示すように合成樹脂製又は木製の平板状であって、その前後端の一方の端面に接合用凹部２１を、他方の端面に接合用凸部２２をそれぞれ形成すると共に、同第２足場部材２０の上面には滑り止め用凹凸部２３を形成している。
上記第３足場部材３０は、図４に示すように前後一対の桟部３１の両端をコ形状の接続部３２で接続して同両桟部３１，３１間に所要の隙間ｄを形成したブリッジ形状としている。また、上記前後の桟部３１，３１の一方の端面に接合用凹部３３を、他方の端面に接合用凸部３４をそれぞれ形成すると共に、同第３足場部材３０の上面には滑り止め用凹凸部３５を形成している。
【００１７】
次ぎにその使用時について説明する。
先ず、図１に示すように梯子を屋根かけて、例えば図示しないが屋根のたる木部分にアンカーを打ち、このアンカーと梯子とを直径１センチメートル程度のロープを用いて縛り、梯子を屋根にしっかり固定する。
続いて、図５に示すように前後一対の幅調整部材１１，１１の収納空間１２に中板部材１６ａの前後端を嵌めて両者を一体化し第１足場部材を組み立てる。屋根上において、この一体化された第１足場部材１０をその梯子接合用凹部１３を梯子の左右支柱部に係合して両者を結合する。しかる後、第１足場部材の接合用凸部１４に第２足場部材２０の接合用凹部２１を係合して取り付ける。更に適数個の第２足場部材２０を、同様に接合用凹部２１と接合用凸部２２同士を互いに係合して所要長さまで継ぎ足し屋根作業用足場を形成する。
【００１８】
ここで、屋根面に雪ずり防止手段が設けられている場合について説明する。
屋根面に設けられた雪ずり防止手段の直下まで、上記第１足場部材１０及び複数の第２足場部材２０を用いて屋根作業用足場本体１を設置する。その際、雪ずり防止手段の直下位置と屋根作業用足場本体１高さ位置に微調整が必要な場合には、図６に示すように前後幅が大なる幅の中板部材１６ａから小なる幅の中板部材１６ｂに交換して上記同様第１足場部材１０を組み立てて設置する。そして、第２足場部材２０の接合用凸部２２にブリッジ状の第３足場部材３０の接合用凹部３３を係合して両者を連接し、同第３足場部材３０の両桟部３１，３１間に形成した所要の隙間ｄにて雪ずり防止手段をかわすことができる。
しかる後、この第３足場部材３０の接合用凸部３４に第２足場部材２０の接合用凹部２１を係合し、上記同様に同第２足場部材２０同士を連接していけば、目的とする位置まで面積を拡げていくことが可能である。
【００１９】
なお、全ての家屋の雪ずり防止手段が同じ所定位置に設置してあるわけではなく、第３足場部材３０の桟部３１に雪ずり防止手段が接触してしまう場合には、第１足場部材１０の中板部材１６ａを、前後幅寸法の異なる別の中板部材１６ｂに入れ替えて適時調整することで、和瓦、洋瓦、トタン、スレートなどの様々な形状の屋根の雪ずり防止手段をかわすことができる。
【００２０】
このように、従来のように大がかりな足場を立設、又は屋根面に浮き足場を架設する必要もなく、各第１乃至第３足場部材１０、２０、３０共に軽量かつコンパクトにして取扱も簡単であるので、屋根上での３０分〜数時間程度の軽作業時でも場所を選ばず使用することができる簡易型の屋根作業用足場を安価に提供できる。また、屋根に掛けた梯子利用して形成すると共に、その取扱も簡単なのであまり力のない女性やお年寄りの方でも短時間で簡易足場を形成することが可能である。
【００２１】
また、形成された屋根作業用足場本体１上に乗って作業を行う場合、各第１足場部材１０〜第３足場部材３０の上面には、滑り止め用凹凸部１５、２３，３４が形成されているので、仮に作業中に雨や、雪などが急に降ったとしても、靴底がしっかり食い込み滑ることもなく安全に作業ができると共に、真夏の猛暑であっても、合成樹脂製又は木製の屋根作業用足場本体１の上面はそれほど高温になることはないので、履いていた靴の靴底が溶け出す等の従来の問題も未然に防止できる。
【産業上の利用可能性】
【００２２】
本発明の屋根作業用足場は、室外アンテナ、エアコン室外機、太陽熱発電パネル、太陽熱温水器の設置工事及び電気工事など、屋根上で３０分〜数時間程度の軽作業を行う場合の屋根作業用足場として適用できる。
【符号の説明】
【００２３】
１    屋根作業用足場本体
１０    第１足場部材
１１    第１足場部材の幅調整部材
１２    収納空間
１３    梯子接合用凹部
１４    接合用凸部
１５    滑り止め用凹凸部
１６，１６ａ、１６ｂ    中板部材
２０    第２足場部材
２１    接合用凹部
２２    接合用凸部
２３    滑り止め用凹凸部
３０    第３足場部材
３１    桟部
３２    コ形状の接続部
３３    接合用凹部
３４    接合用凸部
３５    滑り止め用凹凸部
ｄ    隙間
【図１】
2011111843.tif 000003
【図２】
2011111843.tif 000004
【図３】
2011111843.tif 000005
【図４】
2011111843.tif 000006
【図５】
2011111843.tif 000007
【図６】
2011111843.tif 000008